(57)【特許請求の範囲】
【請求項１】
複数の路側機であって、暗号化されたＥＴＣ（Electronic Toll Collection）カード読取情報を車載器から無線信号により受信して、当該ＥＴＣカード読取情報を転送する路側機と、
前記複数の路側機と通信ネットワークを介して接続され、前記複数の路側機それぞれから前記通信ネットワークを介して受信したＥＴＣカード読取情報を復号するセキュアアプリケーションモジュールを有し、当該復号した結果に基づいて前記ＥＴＣカード読取情報を特定するためのカード特定情報を算出して前記複数の路側機のうち前記ＥＴＣカード読取情報の送信元の路側機へ送信する１つの外部装置と、
を備えることを特徴とする決済システム。
【請求項２】
前記外部装置は、道路上に設置された前記複数の路側機と前記通信ネットワークを介して接続された
ことを特徴とする請求項１に記載の決済システム。
【請求項３】
前記路側機は、
前記カード特定情報を前記外部装置より受信するカード特定情報受信部と、
決済用計算装置へ決済額算出要求を行い、その結果前記決済用計算装置より受信した決済額と前記カード特定情報とを対応付けて前記決済額を記憶する決済額管理部と、
前記決済額管理部が対応付けて記憶するカード特定情報と決済額とを含む課金処理要求を前記外部装置へ送信する課金処理要求部と、
を備えることを特徴とする請求項１または請求項２に記載の決済システム。
【請求項４】
前記外部装置は前記課金処理要求の受信に基づいて、当該課金処理要求に含まれるカード特定情報と決済額とを読み取って、当該カード特定情報に対する決済額の課金処理を行う課金処理部と、
を備えることを特徴とする請求項３に記載の決済システム。
【請求項５】
複数の路側機と通信ネットワークを介して接続され、
暗号化されたＥＴＣ（Electronic Toll Collection）カード読取情報を車載器から無線信号により受信して当該ＥＴＣカード読取情報を転送する前記複数の路側機それぞれより、前記通信ネットワークを介して前記ＥＴＣカード読取情報を受信する受信部と、
前記ＥＴＣカード読取情報を復号するセキュアアプリケーションモジュールと、
当該ＥＴＣカード読取情報の復号結果に基づいて前記ＥＴＣカード読取情報を特定するためのカード特定情報を算出するカード特定情報算出部と、
当該算出したカード特定情報を前記複数の路側機のうち前記ＥＴＣカード読取情報の送信元の路側機へ送信するカード特定情報送信部と、
を備えることを特徴とする外部装置。
【請求項６】
道路上に設置された前記複数の路側機と前記通信ネットワークを介して接続されることを特徴とする請求項５に記載の外部装置。
【請求項７】
決済システムの処理方法であって、
複数の路側機が、暗号化されたＥＴＣ（Electronic Toll Collection）カード読取情報を車載器から無線信号により受信して、当該ＥＴＣカード読取情報を転送し、
前記複数の路側機と通信ネットワークを介して接続された１つの外部装置が、前記複数の路側機それぞれから前記通信ネットワークを介して受信したＥＴＣカード読取情報を復号するセキュアアプリケーションモジュールを有し、当該復号した結果に基づいて前記ＥＴＣカード読取情報を特定するためのカード特定情報を算出して前記複数の路側機のうち前記ＥＴＣカード読取情報の送信元の路側機へ送信する
ことを特徴とする処理方法。
【請求項８】
前記外部装置は、道路上に設置された前記複数の路側機と前記通信ネットワークを介して接続された
ことを特徴とする請求項７に記載の処理方法。
【請求項９】
前記路側機のカード特定情報受信部が、前記カード特定情報を前記外部装置より受信し、
前記路側機の決済額管理部が、決済用計算装置へ決済額算出要求を行い、その結果前記決済用計算装置より受信した決済額と前記カード特定情報とを対応付けて前記決済額を記憶し、
前記路側機の課金処理要求部が、前記決済額管理部が対応付けて記憶するカード特定情報と決済額とを含む課金処理要求を前記外部装置へ送信する
ことを特徴とする請求項７または請求項８に記載の処理方法。
【請求項１０】
前記外部装置の課金処理部が、前記課金処理要求の受信に基づいて、当該課金処理要求に含まれるカード特定情報と決済額とを読み取って、当該カード特定情報に対する決済額の課金処理を行う
ことを特徴とする請求項９に記載の処理方法。
【請求項１１】
複数の路側機と通信ネットワークを介して接続された外部装置の処理方法であって、
暗号化されたＥＴＣ（Electronic Toll Collection）カード読取情報を車載器から無線信号により受信して当該ＥＴＣカード読取情報を転送する前記複数の路側機それぞれより、前記通信ネットワークを介して前記ＥＴＣカード読取情報を受信し、
前記ＥＴＣカード読取情報をセキュアアプリケーションモジュールを用いて復号し、
当該ＥＴＣカード読取情報の復号結果に基づいて前記ＥＴＣカード読取情報を特定するためのカード特定情報を算出し、
当該算出したカード特定情報を前記複数の路側機のうち前記ＥＴＣカード読取情報の送信元の路側機へ送信する
ことを特徴とする処理方法。
【発明の詳細な説明】
【技術分野】
【０００１】
本発明は、ＥＴＣ（Electronic Toll Collection）カードを用いて決済処理を行うＥＴＣシステム、外部装置、処理方法に関する。
【背景技術】
【０００２】
従来、道路の通行料を収受し課金を行うシステムとして、ＥＴＣカードを用いたシステムが利用されている。当該ＥＴＣカードを用いたシステムでは、ＥＴＣカードに記録されているカード番号などの秘匿性の高い情報を扱うため、高度な暗号処理を行って、無線通信により車載器と路側機の間で情報を送受信している。より具体的には、車両に搭載された車載器がＥＴＣカードから読み取った情報を高度に暗号化して無線送信する。そして、道路上に設置され車載器から無線送信された暗号化情報を受信する路側機が、その高度に暗号化された暗号化情報の復号処理を行う。なお、ＥＴＣカードを利用する関連技術が特許文献１、特許文献２に開示されている。
【先行技術文献】
【特許文献】
【０００３】
【特許文献１】特許第３６３００５９号公報
【特許文献２】特開２００４−６２４６８号公報
【発明の概要】
【発明が解決しようとする課題】
【０００４】
ところで、上述のようなＥＴＣカードを用いるシステムでは高度な暗号処理およびその復号処理のためにＳＡＭ（セキュリティ・アクセス・モジュール）と呼ばれるハードウェアを搭載している。当該ＳＡＭはハードウェアによって暗号処理および復号処理を行うものであるが、ＥＴＣカードの情報の安全性を確保するために厳格に管理されており、特定の事業者以外はその利用を行うことが制限されている。そして、復号処理を行うことのできるＳＡＭを備えた路側機などの装置は高価であり、また盗難防止のための措置に高度な技術および費用がかかることから、一般の事業者が復号処理を行うことの出来るＳＡＭを備えた装置を利用することが困難となっている。
しかしながら、多くの事業者がＥＴＣカードを利用した料金決済を利用することのできるシステムが求められており、ＥＴＣカード読取情報の復号処理を行うことの出来るＳＡＭを備えた装置の使用が一般に広く提供できることが望ましい。
【０００５】
そこでこの発明は、上述の課題を解決することのできる決済システム、外部装置、処理方法を提供することを目的としている。
【課題を解決するための手段】
【０００６】
上記目的を達成するために、本発明は、複数の路側機であって、暗号化されたＥＴＣ（Electronic Toll Collection）カード読取情報を車載器から無線信号により受信して、当該ＥＴＣカード読取情報を転送する路側機と、前記複数の路側機と通信ネットワークを介して接続され、前記複数の路側機それぞれから前記通信ネットワークを介して受信したＥＴＣカード読取情報を復号するセキュアアプリケーションモジュールを有し、当該復号した結果に基づいて前記ＥＴＣカード読取情報を特定するためのカード特定情報を算出して前記複数の路側機のうち前記ＥＴＣカード読取情報の送信元の路側機へ送信する１つの外部装置と、を備えることを特徴とする決済システムである。
【０００７】
また本発明は、上述の決済システムにおいて、前記外部装置は、道路上に設置された前記複数の路側機と前記通信ネットワークを介して接続されたことを特徴とする。
【０００８】
また本発明は、上述の決済システムにおいて、前記路側機は、前記カード特定情報を前記外部装置より受信するカード特定情報受信部と、決済用計算装置へ決済額算出要求を行い、その結果前記決済用計算装置より受信した決済額と前記カード特定情報とを対応付けて前記決済額を記憶する決済額管理部と、前記決済額管理部が対応付けて記憶するカード特定情報と決済額とを含む課金処理要求を前記外部装置へ送信する課金処理要求部と、を備えることを特徴とする。
【０００９】
また本発明は、上述の決済システムにおいて、前記外部装置は前記課金処理要求の受信に基づいて、当該課金処理要求に含まれるカード特定情報と決済額とを読み取って、当該カード特定情報に対する決済額の課金処理を行う課金処理部と、を備えることを特徴とする。
【００１０】
また本発明は、複数の路側機と通信ネットワークを介して接続され、暗号化されたＥＴＣ（Electronic Toll Collection）カード読取情報を車載器から無線信号により受信して当該ＥＴＣカード読取情報を転送する前記複数の路側機それぞれより、前記通信ネットワークを介して前記ＥＴＣカード読取情報を受信する受信部と、前記ＥＴＣカード読取情報を復号するセキュアアプリケーションモジュールと、当該ＥＴＣカード読取情報の復号結果に基づいて前記ＥＴＣカード読取情報を特定するためのカード特定情報を算出するカード特定情報算出部と、当該算出したカード特定情報を前記複数の路側機のうち前記ＥＴＣカード読取情報の送信元の路側機へ送信するカード特定情報送信部と、を備えることを特徴とする外部装置である。
【００１１】
また本発明は、上述の外部装置は、道路上に設置された前記複数の路側機と前記通信ネットワークを介して接続されることを特徴とする。
【００１２】
また本発明は、決済システムの処理方法であって、複数の路側機が、暗号化されたＥＴＣ（Electronic Toll Collection）カード読取情報を車載器から無線信号により受信して、当該ＥＴＣカード読取情報を転送し、前記複数の路側機と通信ネットワークを介して接続された１つの外部装置が、前記複数の路側機それぞれから前記通信ネットワークを介して受信したＥＴＣカード読取情報を復号するセキュアアプリケーションモジュールを有し、当該復号した結果に基づいて前記ＥＴＣカード読取情報を特定するためのカード特定情報を算出して前記複数の路側機のうち前記ＥＴＣカード読取情報の送信元の路側機へ送信することを特徴とする処理方法である。
【００１３】
また本発明は、上述の処理方法において、前記外部装置は、道路上に設置された前記複数の路側機と前記通信ネットワークを介して接続されたことを特徴とする。
【００１４】
また本発明は、上述の処理方法において、前記路側機のカード特定情報受信部が、前記カード特定情報を前記外部装置より受信し、前記路側機の決済額管理部が、決済用計算装置へ決済額算出要求を行い、その結果前記決済用計算装置より受信した決済額と前記カード特定情報とを対応付けて前記決済額を記憶し、前記路側機の課金処理要求部が、前記決済額管理部が対応付けて記憶するカード特定情報と決済額とを含む課金処理要求を前記外部装置へ送信することを特徴とする。
【００１５】
また本発明は、上述の処理方法において、前記外部装置の課金処理部が、前記課金処理要求の受信に基づいて、当該課金処理要求に含まれるカード特定情報と決済額とを読み取って、当該カード特定情報に対する決済額の課金処理を行うことを特徴とする。
【００１６】
また本発明は、複数の路側機と通信ネットワークを介して接続された外部装置の処理方法であって、暗号化されたＥＴＣ（Electronic Toll Collection）カード読取情報を車載器から無線信号により受信して当該ＥＴＣカード読取情報を転送する前記複数の路側機それぞれより、前記通信ネットワークを介して前記ＥＴＣカード読取情報を受信し、前記ＥＴＣカード読取情報をセキュアアプリケーションモジュールを用いて復号し、当該ＥＴＣカード読取情報の復号結果に基づいて前記ＥＴＣカード読取情報を特定するためのカード特定情報を算出し、当該算出したカード特定情報を前記複数の路側機のうち前記ＥＴＣカード読取情報の送信元の路側機へ送信することを特徴とする処理方法である。
【発明の効果】
【００１７】
本発明によれば、路側機に備わっていた復号化用のＳＡＭを、通信ネットワークを介して接続された外部装置に設けると共に、当該外部装置が複数の路側機と接続されるように構成した。これにより複数の路側機が通信ネットワークを介して外部装置と接続することで、ＳＡＭを備えない安価な路側機を所有する業者に対して、ＥＴＣカード読取情報を用いた決済のサービスを提供することが可能となる。つまり、ＳＡＭの機能を備えない安価な路側機を用いてＥＴＣカードを利用する車載器等の装置を備えた車両等に対する決済処理を行うことが可能となる。
【図面の簡単な説明】
【００１８】
【図１】決済システムの構成を示すブロック図である。
【図２】決済システム内の車載器と路側機の機能を示すブロック図である。
【図３】決済システム内の外部装置と決済用計算装置の機能を示すブロック図である。
【図４】決済システムの処理フローを示す第１の図である。
【図５】決済システムの処理フローを示す第２の図である。
【発明を実施するための形態】
【００１９】
以下、本発明の一実施形態による決済システムを図面を参照して説明する。
図１は同実施形態による決済システムの構成を示すブロック図である。
この図において、符号１は車載器である。当該車載器１は自家用車などの車両に搭載されており、ＥＴＣカードが挿入口に挿入できるような構成となっている。車載器１は、挿入口に挿入されたＥＴＣカードから情報を読み取り、当該読み取った情報（以下、ＥＴＣカード読取情報と呼ぶ）を暗号化して無線信号により車外の装置に送信し、またその応答として、車外の他の装置から課金処理結果等の情報を無線信号により受信する。
また、符号２は路側機である。当該路側機は道路脇や駐車場等の入り口や出口に設置され、車載器１と無線信号により通信を行うと共に、車載器１から受信した暗号化されたＥＴＣカード読取情報を、通信ネットワークを介して他の装置へ転送する。また路側機２は、決済額などの情報を一時的に記憶する装置である。
【００２０】
また外部装置３は、路側機２から通信ネットワークを介して受信したＥＴＣカード読取情報を復号するＳＡＭ（セキュアアプリケーションモジュール）を有し、当該復号した結果に基づいてＥＴＣカード読取情報を特定するためのカード特定情報を算出して路側機２へ送信する装置である。
また決済用計算装置４は、路側機２から通信ネットワークを介して受信した情報を用いて決済額の算出を行う装置である。決済額としては、例えば駐車場の利用料金や、道路の通行料金などである。
【００２１】
図２は同実施形態による決済システム内の車載器と路側機の機能を示すブロック図である。
この図で示すように、車載器１は挿入口に挿入されたＥＴＣカード１０内のメモリに記録されているＥＴＣカード情報を読み取る読取部１１と、ＥＴＣカード読取情報を暗号化するＳＡＭ（Secure Application Module）１２と、車載器１の各処理部を制御する制御部１３と、暗号化されたＥＴＣカード読取情報を無線信号により送信する無線通信部１４とを備えている。
【００２２】
また路側機２は、車載器１と無線信号により情報を送受信する無線通信部２１と、各処理部を制御する制御部２２と、決済額を管理する決済額管理部２３と、課金処理要求の送信を行う課金処理要求部２４、外部装置３や決済用計算装置４と有線の通信ネットワークを介して情報を送受信する有線通信部２５と、処理に利用する各種情報を記憶する記憶部２６と、を備えている。
【００２３】
図３は同実施形態による決済システム内の外部装置と決済用計算装置の機能を示すブロック図である。
この図が示すように、外部装置３は、路側機２と通信する通信処理部３１、外部装置３内の各処理部を制御する制御部３２、路側機２より受信した暗号化されたＥＴＣカード読取情報を復号するＳＡＭ３３、復号したＥＴＣカード読取情報を用いてカード特定情報を算出するカード特定情報算出部３４、料金所サーバやカード会社サーバと通信して課金処理を行う課金処理部３５と、処理に利用する各種情報を記憶する記憶部３６と、を備えている。
また決済用計算装置４は、路側機２と通信する通信処理部４１、および決済額を算出する決済額算出部４２を備えている。
【００２４】
ここで、本実施形態による決済システムは、図１〜図３で示すように路側機２に備わっていた復号化用のＳＡＭを、通信ネットワークを介して接続された外部装置３に設けると共に、当該外部装置３が複数の路側機２と接続されるように構成した。これにより複数の路側機２が通信ネットワークを介して外部装置３と接続することで、ＳＡＭを備えない安価な路側機２を所有する業者に対して、ＥＴＣカード読取情報を用いた決済のサービスを提供することが可能となる。そして、復号化用のＳＡＭ３３を備えた外部装置３を１箇所で管理することにより、高価で厳重なセキュリティ管理が必要であることにより特定の事業者以外が利用できなかった、ＥＴＣカード読取情報の復号化処理を行うことのできるＳＡＭ３３を備えた外部装置３の使用を、一般の多くの事業者に提供することができる。
【００２５】
図４は決済システムの処理フローを示す第１の図である。
図５は決済システムの処理フローを示す第２の図である。
次に、決済システムの処理フローについて説明する。
以下の例では、路側機２が駐車場の入口や出口に備えられており、決済用計算装置４が駐車場の利用料金（決済額）を算出する場合の例を用いて説明する。
まず車載器１にＥＴＣカードが挿入される。車載器１の搭載された車両が移動し、路側機２の備えられた駐車場に接近する。そして、車両が路側機２との通信可能エリアに進入すると、路側機２は車載器１とＤＳＲＣ（Dedicated Short Range Communication）通信を行うとともに、路側機２の制御部１３と車載器１制御部２２の間において認証処理が行われる（ステップＳ１０１）。
【００２６】
そして、認証処理が完了すると、車載器１のＳＡＭ１２が読取部１１を介してＥＴＣカード１０のメモリから情報（ＥＴＣカード読取情報）を取得する（ステップＳ１０２）。ＳＡＭ１２はそのＥＴＣカード読取情報を暗号化し（ステップＳ１０３）、当該暗号化したＥＴＣカード読取情報を制御部１３へ出力する。制御部１３は、メモリ等に記録されている車両情報（ナンバープレート情報や車種等）や車載器情報を読み取って、当該車両情報や車載器情報と、暗号化されたＥＴＣカード読取情報とを無線通信部１４へ出力する。そして無線通信部１４は、ＤＳＲＣ通信により、車両情報や車載器情報と、暗号化されたＥＴＣカード読取情報を路側機２へ送信する（ステップＳ１０４）。
【００２７】
次に路側機２の無線通信部２１が、車載器１から送信された車両情報や車載器情報と、暗号化されたＥＴＣカード読取情報とを受信する。そして制御部２２がそれらの情報を入力する。すると制御部２２は暗号化されたＥＴＣカード読取情報を有線通信部２５へ出力し、当該有線通信部２５が、当該ＥＴＣカード読取情報を外部装置３へ転送する（ステップＳ１０５）。他方、制御部３２は、受信した車両情報や車載器情報を一時的にメモリに記録する。
【００２８】
次に外部装置３の通信処理部３１が、路側機２から送信された、暗号化されたＥＴＣカード読取情報を受信して、制御部３２が当該暗号化されたＥＴＣカード読取情報を取得する。そして制御部３２は暗号化されたＥＴＣカード読取情報をＳＡＭ３３へ出力する。ＳＡＭ３３は暗号化されたＥＴＣカード読取情報を復号してカード特定情報算出部３４へ出力する（ステップＳ１０６）。カード特定情報算出部３４はＥＴＣカード読取情報に基づいて、当該ＥＴＣカード読取情報を特定できるカード特定情報を算出する（ステップＳ１０７）。例えば所定の関数ｆ（ｘ，α）に、ＥＴＣカード読取情報に含まれるＥＴＣカード番号（ｘ）と、固定値のパラメータ（α）を代入して、その結果をカード特定情報と算出する。カード特定情報算出部３４は、ＥＴＣカード読取情報とカード特定情報を対応付けて記憶部３６に記録する。
【００２９】
そして、カード特定情報算出部３４は、算出したカード特定情報を制御部３２へ出力し、制御部３２が通信処理部３１を介してＥＴＣカード読取情報の送信元の路側機２へ、カード特定情報を送信するよう制御する。そして通信処理部３１が、カード特定情報を送信すると（ステップＳ１０８）、ＥＴＣカード読取情報の送信元の路側機２の有線通信部２５が当該カード特定情報を受信する。そして制御部２２はそのカード特定情報を取得し、一時的にメモリに格納した車両情報や車載器情報と対応付けて記憶部２６に記録し、取得したカード特定情報を含む決済額管理要求を決済額管理部２３に対して出力する。
【００３０】
路側機２の決済額管理部２３は、決済額管理要求を入力すると、その情報からカード特定情報を読み取って、当該カード特定情報に対応付けられて記憶部２６に記録されている車両情報や車載器情報を読み取る。そして決済額管理部２３は、読み取った車両情報や車載器情報を決済用計算装置４へ送信するよう制御部２２へ要求する。すると、制御部２２は、決済額管理部２３から入力した車両情報や車載器情報を含む決済額算出要求を、有線通信部２５を介して決済用計算装置４へ送信する制御を行う（ステップＳ１０９）。またこのとき、決済額管理部２３は制御部２２に対し、カード特定情報を含んだ決済額算出要求を送信するように要求し、制御部２２が、カード特定情報と車両情報や車載器情報との組合せを含む決済額算出要求を、有線通信部２５を介して決済用計算装置４へ送信する制御を行うようにしてもよい。
【００３１】
そして、決済用計算装置４は、車両情報や車載器情報を含む決済額算出要求、またはカード特定情報と車両情報や車載器情報との組合せを含む決済額算出要求を、通信処理部４１にて受信する。なお決済用計算装置４が決済額を算出するにあたりカード特定情報を用いる場合には、路側機２はカード特定情報を含む決済額算出要求を、決済用計算装置４へ送信する。決済用計算装置４が決済額を算出するにあたりカード特定情報を用いない場合には、路側機２はカード特定情報を含まない決済額算出要求を、決済用計算装置４へ送信する。
【００３２】
ここで、決済用計算装置４は駐車場の利用料金を決済額として算出する場合には、１台の車両について入口に設置されている路側機２と、出口に設置されている路側機２のそれぞれより、２回の決済額算出要求を受信する。従って、決済額算出部４２は、今回受信した決済額算出要求が、１回目の決済額算出要求か２回目の決済額算出要求かを判定する（ステップＳ１１０）。具体的には、決済額算出部４２は、過去に受信した決済額算出要求に含まれる情報を、その決済額算出要求の受信時刻にハードディスクやメモリ等の記憶部に記憶している。そして、決済額算出部４２は、今回受信した決済額算出要求から車載器情報やカード特定情報を読み取って、過去に受信した決済額算出要求に含まれていた車載器情報やカード特定情報と一致するかを、自装置の記憶部に記憶されている情報と比較して判定する。
【００３３】
そして、決済額算出部４２は、自装置の記憶部に記憶されている情報の中に、今回受信した決済額算出要求に含まれる車載器情報やカード特定情報と一致する情報が存在しない場合には、今回受信した決済額算出要求を１回目の決済額算出要求と判定する。そして、決済額算出部４２は、１回目の決済額算出要求に含まれる情報を、その受信時刻に対応付けて記憶部に記録する。そして、決済額算出部４２は、１回目の決済額算出要求に対応して、処理完了を路側機２に通知する（ステップＳ１１１）。路側機２は処理完了を車載器１転送して、入口における車載器１と路側機２の通信が完了する。
【００３４】
他方、決済額算出部４２は、自装置の記憶部に記憶されている情報の中に、今回受信した決済額算出要求に含まれる車載器情報やカード特定情報と一致する情報が存在する場合には、今回受信した決済額算出要求を２回目の決済額算出要求と判定する。この場合、決済額算出部４２は、１回目の決済額算出要求に対応付けられて記憶部に記録されている当該決済額算出要求の受信時刻を記憶部から読み取る。そして、決済額算出部４２は、１回目の決済額算出要求の受信時刻と、今回受信した２回目の決済額算出要求の受信時刻との差を、駐車時間と算出する（ステップＳ１１２）。なお、決済額算出部４２は、受信した決済額算出要求に含まれる車種情報に応じた決済額を算出するようにしてもよい。
【００３５】
ここで、決済額算出部４２は、例えば３０分経過する度に増加する駐車料金を、３０分間隔の駐車時間に対応付けて記憶部に記憶している。そして、決済額算出部４２は、「算出した駐車時間÷３０」の小数点以下を省略した整数に対応付けられた駐車料金を記憶部から読み取り、その駐車料金を決済額と特定する（ステップＳ１１３）。または、他の算出方法としては、決済額算出部４２は、「算出した駐車時間÷３０」の小数点以下を省略した整数に３０分毎に加算される駐車料金を乗じて得た値を決済額と算出するようにしてもよい。そして、決済額算出部４２は、算出した決済額を含む決済額算出結果を、決済額算出要求の送信元の路側機２へ通信処理部４１を介して送信する（ステップＳ１１４）。
【００３６】
次に、路側機２において決済額算出結果を受信すると、制御部２２が、決済額算出要求に応じて受信した当該決済額算出結果に含まれる決済額を読み取り、決済額管理部２３へ出力する。すると決済額管理部２３は、決済額算出要求で送信した車載器識別情報や、カード特定情報に対応付けて、記憶部２６に決済額を書き込む。すると、課金処理要求部２４は、記憶部２６に書き込まれた決済額と、その決済額に対応付けて記録されているカード特定情報を含む課金処理要求を生成し、当該課金処理要求を外部装置３に通知するよう制御部２２に指示する。すると制御部２２は、課金処理要求を有線通信部２５を介して外部装置３へ送信する（ステップＳ１１５）。
【００３７】
外部装置３は通信処理部３１において課金処理要求を受信する。すると制御部３２は当該課金処理要求の情報を課金処理部３５に出力する。また課金処理部３５は、課金処理要求から決済額とカード特定情報を読み取る。そして、課金処理部３５は、読み取ったカード特定情報に対応付けられて記憶部３６に記録されているＥＴＣカード読取情報を取得し、当該ＥＴＣカード読取情報と、課金処理要求から取得した決済額とを含む課金処理要求を生成する。そして、課金処理部３５は、新たに生成した課金処理要求をカード会社サーバへ送信するよう、制御部３２に指示する。そして、制御部３２は課金処理要求をカード会社サーバへ送信する（ステップＳ１１６）。
【００３８】
ここで、カード会社サーバにおいては、課金処理要求を受信し、当該課金処理要求に含まれるＥＴＣカード読取情報と決済額とを取得して、課金処理を行う。より具体的には、ＥＴＣカード読取情報からＥＴＣカード番号を得て、そのＥＴＣカード番号に対する決済額の課金の処理を行う。そして、課金処理完了通知を外部装置３へ送信する。外部装置３は、課金処理完了通知を受信すると（ステップＳ１１７）、制御部３２はその課金処理完了通知を通信処理部３１を介して路側機２へ送信する（ステップＳ１１８）。そして、路側機２の制御部２２は、無線通信部２１を介して車載器１に課金処理完了を送信する（ステップＳ１１９）。これにより、出口における路側機２と車載器１の通信が完了する。
【００３９】
なお、上述の処理においては、路側機２が駐車場の入口や出口に設置され、決済システムが、駐車場の利用料金を決済するためのシステムである場合の例について説明した。しかしながら、当該決済システムの構成を、道路の通行料金の決済システムや、店舗での商品売買の決済を行う決済システムなどとして用いるようにしてもよい。この場合、決済システムは上述のステップＳ１１０のように１回目に受信した決済額算出要求と２回目に受信した決済額算出要求に基づいて、決済額を算出してもよいし、１回の決済額算出要求のみに基づいて決済額を算出してもよい。例えば車両種別に応じて決済額が定まる場合には、決済用計算装置４は車両種別に応じた決済額を記憶部から読み取って、その値を路側機２へ送信する。または、路側機２から決済用計算装置４に送信される決済額算出要求に購入商品種別が含まれ、その購入商品種別に基づいて、決済用計算装置４が決済額を算出するようにしてもよい。
【００４０】
以上、本発明の実施形態について説明したが、決済システムの構成によれば、路側機２に備わっていた復号化用のＳＡＭを、通信ネットワークを介して接続された外部装置３に設けると共に、当該外部装置３が複数の路側機２と接続されるように構成した。これにより複数の路側機２が通信ネットワークを介して外部装置３と接続することで、ＳＡＭを備えない安価な路側機２を所有する業者に対して、ＥＴＣカード読取情報を用いた決済のサービスを提供することが可能となる。つまり、複数の駐車場においては、ＳＡＭの機能を備えない安価な路側機２を用いてＥＴＣカードを利用する車載器１を備えた車両に対する駐車料金の決済を行うことが可能となる。
【００４１】
そして、復号化用のＳＡＭ３３を備えた外部装置３を１箇所で管理することにより、高価で厳重なセキュリティ管理が必要であることにより特定の事業者以外が利用できなかった、ＥＴＣカード読取情報の復号化処理を行うことのできるＳＡＭ３３を備えた外部装置３の使用を、一般の多くの事業者に提供することができる。
【００４２】
また、上述の決済システムにおける処理によれば、路側機２と外部装置３や、路側機２と決済用計算装置４の間では、ＥＴＣカード読取情報の代わりに、カード特定情報を送受信して、処理を行っている。従って、ＥＴＣカード読取情報が他者に読み取られる可能性を軽減できる。つまり、セキュリティを高めることができる。
【００４３】
なお、上述の決済システムにおける各装置は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４４】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４５】
１・・・車載器
２・・・路側機
３・・・外部装置
４・・・決済用計算装置
１１・・・読取部
１２・・・ＳＡＭ
１３・・・制御部
１４・・・無線通信部
２１・・・無線通信部
２２・・・制御部
２３・・・決済額管理部
２４・・・課金処理要求部
２５・・・有線通信部
２６・・・記憶部
３１・・・通信処理部
３２・・・制御部
３３・・・ＳＡＭ
３４・・・カード特定情報算出部
３５・・・課金処理部
３６・・・記憶部
【図１】
0005798856.tif 000002
【図２】
0005798856.tif 000003
【図３】
0005798856.tif 000004
【図４】
0005798856.tif 000005
【図５】
0005798856.tif 000006